(57)【要約】      （修正有）【課題】直ちに数ヶ月前の暦を確認することが可能な月めくりカレンダーを提供する。【解決手段】月めくりカレンダーＣのめくり取られて残る綴付部１の綴じ代部１１に、当該年度の七曜表２を一覧的に記載する。暦をめくり取って廃棄した場合にも数か月前の暦を確認することができる。【選択図】図１
0003198524.tif 000002
【実用新案登録請求の範囲】
【請求項１】
月めくりカレンダー（Ｃ）のめくり取られて残る綴付部（１）の綴じ代部（11）に、当該年度の七曜表（２）を一覧的に記載したことを特徴とする月めくりカレンダー。
【請求項２】
めくり取られて残る綴付部（１）の綴じ代部（11）に、一覧的に記載される七曜表における日曜日および祝祭日の該当日を、色彩又は太さを変えることにより認識できるように構成したことを特徴とする請求項１に記載の月めくりカレンダー。
【請求項３】
めくり取られて残る綴付部（１）の綴じ代部（11）に、一覧的に記載される当該年度の七曜表（２）の１月分の前に、前年度の七曜表（2a）の終わりの１ヶ月又は複数ヶ月分の月表示を付加したことを特徴とする請求項１又は請求項２に記載の月めくりカレンダー。
【請求項４】
めくり取られて残る綴付部（１）の綴じ代部（11）に、一覧的に記載される当該年度の七曜表（２）の１２月分の後に、次年度の七曜表（2b）の始まりの１ヶ月又は複数ヶ月分の月表示を付加したことを特徴とする請求項１〜３の何れか一項に記載の月めくりカレンダー。
【考案の詳細な説明】
【技術分野】
【０００１】
本考案は、月めくりカレンダーの改良、更に詳しくは、月めくりカレンダーの綴付部の綴じ代部に七曜表の記載することを要旨とするカレンダーの新発想に関するものである。
【背景技術】
【０００２】
従来、代表的な月めくりカレンダーは、各月の月日を各紙葉に表示し、これを綴付部で一冊に綴じ、綴付部の中央に吊下具を設けて壁等に掲示できるように構成してある。そして、各紙葉には当月の暦に加え、前月・翌月の暦や提供企業名等を印字してあるものも提案されている（特許文献１参照）。
【０００３】
ところが、月めくりカレンダーは、経過した月の暦をめくり取って廃棄して無くなってしまうため、前記特許文献１にあっても数ヶ月前の暦を確認することはできなかった。
【０００４】
この問題を解決するため、従来より数ヶ月前の暦を確認できるカレンダーとしては、当月の暦をめくり取らずにまくって後ろに重ねていく方式のカレンダーや、表紙に当該年度の七曜表一覧を記載したカレンダー（図４参照）、めくり取った暦をファイリング保存可能なカレンダー（特許文献２参照）等が提案されてきた。
【０００５】
しかし、暦をまくっていく方式のカレンダーは月を経る毎にまくった部分を後ろに折り返して当該カレンダーの後側に重ねるため、カレンダー自体の吊下げ姿勢と見栄えが悪くなる一方、また、表紙に当該年度の七曜表一覧を記載したカレンダーは表紙をめくり取った後、カレンダーとは別に掲示しておく必要があるため壁面等に特別のスペースを設けることが必要であり煩わしい。また更に、前記特許文献２のカレンダーはファイリングに手間がかかるという問題もあった。
【先行技術文献】
【特許文献】
【０００６】
【特許文献１】特開２００５−３１３４７１号公報
【特許文献２】実用新案登録第３１５６５３９号公報
【考案の開示】
【考案が解決しようとする課題】
【０００７】
本考案は、従来の月めくりカレンダーに上記のような問題があったことに鑑みて為されたものであり、その目的とするところは、要すれば直ちに数ヶ月前の暦を確認することが可能な月めくりカレンダーを提供することにある。
【課題を解決するための手段】
【０００８】
本考案者が上記課題を解決するために採用した手段を添付図面を参照して説明すれば次のとおりである。
【０００９】
即ち、月めくりカレンダーＣのめくり取られて残る綴付部１の綴じ代部11に、当該年度の七曜表２を一覧的に記載したことを特徴とする。
【００１０】
また、本考案は、めくり取られて残る綴付部１の綴じ代部11に、一覧的に記載される七曜表における日曜日および祝祭日の該当日を、色彩又は太さを変えることにより認識できるように構成することも可能である。
【００１１】
また、めくり取られて残る綴付部１の綴じ代部11に、一覧的に記載される当該年度の七曜表２の１月分の前に、前年度の七曜表の終わりの１ヶ月又は複数ヶ月分の月表示を付加してもよい。
【００１２】
さらに、めくり取られて残る綴付部１の綴じ代部11に、一覧的に記載される当該年度の七曜表２の１２月分の後に、次年度の七曜表の始まりの１ヶ月又は複数ヶ月分の月表示を付加することも可能である。
【考案の効果】
【００１３】
本考案において、月めくりカレンダーは綴じ代部に七曜表を一覧的に記載することにより、暦をめくり取って廃棄した場合にも数ヶ月前の暦を確認することができる。
【００１４】
本考案においては、日曜日および祝祭日の該当日を色彩又は太さを変えることにより、数ヶ月前の曜日等を直ちに視覚的に確認することができる。
【００１５】
本考案においては、綴じ代部に、一覧的に記載される当該年度の七曜表の１月分の前に、前年度の七曜表の終わりの１ヶ月又は複数ヶ月分の月表示を付加することにより、前年度の月日を容易に確認することができる。
【００１６】
本考案においては、綴じ代部に、一覧的に記載される当該年度の七曜表の１２月分の後に、次年度の七曜表の始まりの１ヶ月又は複数ヶ月分の月表示を付加することにより、翌年度の月日を容易に確認することができる。
【図面の簡単な説明】
【００１７】
【図１】本実施例１の月めくりカレンダーを表した正面図、および一部を大きく示した拡大図面である。
【図２】本実施例２の月めくりカレンダーを表した拡大正面図である。
【図３】本実施例３の月めくりカレンダーを表した拡大正面図である。
【図４】従来の月めくりカレンダーの表紙を表した正面図である。
【考案を実施するための形態】
【００１８】
本考案を実施するための形態を、具体的に図示した図面に基づいて、更に詳細に説明すると、次のとおりである。
【００１９】
『実施例１』
本考案の実施例を図１に基づいて説明する。図中、符号１で指示するものは、綴付部であり、この綴付部１は幅広に形成してあり、綴じ代部11のスペースが確保してある（図１参照）。本実施例において綴付部は紙製のものを使用した。
【００２０】
また、符号２で指示するものは、七曜表であり、この七曜表２は前記綴じ代部11に印字されている。本実施例において、七曜表２における平日は黒インク、日曜、祝日は赤インクを使用した。
【００２１】
本実施例は、月めくりカレンダーＣの綴付部１の綴じ代部11に当該年度の七曜表２を一覧的に表記することにより、めくり取って廃棄した月の暦を簡便に確認することが可能となる。
【００２２】
『実施例２』
次に、実施例２を図２に基づいて説明する。本実施例２は、月めくりカレンダーＣの綴付部１の綴じ代部11に一覧的に表示される当該年度の七曜表２に加え、前年度の七曜表2aの終わりの暦を複数ヶ月分を表示している（図２参照）。前年度の七曜表2aの色彩、太さは七曜表２と同様とした。
【００２３】
本実施例２は、当該年度の七曜表２に加え、前年度の七曜表2aを表示することにより、新年度を迎え、カレンダーを交換する場合においても、容易に廃棄した月の暦を確認することが可能となる。また、実施例１に類する構造であるため当然に実施例１で得られる効果を有する。
【００２４】
『実施例３』
次に、実施例３を図３に基づいて説明する。本実施例３は、月めくりカレンダーＣの綴付部１の綴じ代部11に一覧的に表示される当該年度の七曜表２に加え、次年度の七曜表2bの始まりの暦を複数ヶ月分を表示している（図３参照）。次年度の七曜表2bの色彩、太さは七曜表２と同様とした。
【００２５】
本実施例３は、当該年度の七曜表２に加え、次年度の七曜表2bを表示することにより、当該年度中に次年度の日程を容易に確認することができ、商取引等における予定を立てる目安とすることが可能となる。また、実施例１に順ずる構造であるため当然に実施例１で得られる効果を有する。
【００２６】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００２７】
本実施例では、七曜表２における平日を黒インク、日曜、祝日を赤インクで印字するとしたが、平日、休日の区別ができれば、何れの色を使用することも自由であり、当該技術的範囲に属する。
【００２８】
本実施例では、前年度の七曜表2a、次年度の七曜表2bの色彩、太さについて七曜表２と同様とするとしたが、当該年度との区別を明確にするため、色彩、太さを異なるものにすることができる。
【符号の説明】
【００２９】
１  綴付部
11  綴じ代部
２  七曜表
2a  前年度の七曜表
2b  次年度の七曜表
Ｃ  カレンダー
【図１】
0003198524.tif 000003
【図２】
0003198524.tif 000004
【図３】
0003198524.tif 000005
【図４】
0003198524.tif 000006